【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
デュアルモータ油圧式ハイブリット伝動装置（１、１'）であって、
電源（２）と、
油圧回路（３）と、
油圧蓄圧器組立体（７）と、
１つ又は複数の制御弁（ＰＡ、ＰＢ、ＶＨＰ、ＶＬＰ）と、
出力シャフト（１１）と
を備え、
前記油圧回路（３）は、
前記電源（２）と駆動係合され、又は選択的に駆動係合される油圧ポンプ（４）と、
前記油圧ポンプ（４）と流体連通される第１の油圧移動ユニット（５）と、
前記油圧ポンプ（４）と流体連通される第２の油圧移動ユニット（６）と
を有し、
前記油圧蓄圧器組立体（７）は、高圧蓄圧器（７ａ）と、低圧蓄圧器（７ｂ）とを有し、前記油圧蓄圧器組立体（７）は、前記油圧回路（３）と流体連通され、
前記第１の油圧移動ユニット（５）は、前記出力シャフト（１１）と駆動係合され、又は選択的に駆動係合され、
前記第２の油圧移動ユニット（６）は、前記出力シャフト（１１）と駆動係合され、又は選択的に駆動係合され、
前記複数の制御弁（ＰＡ、ＰＢ、ＶＨＰ、ＶＬＰ）は選択的に、前記油圧ポンプ（４）を前記第２の油圧移動ユニット（６）から流体的に切り離しながら、前記油圧ポンプ（４）を前記第１の油圧移動ユニット（５）と流体的に連通させ、かつ、同時に、
前記油圧蓄圧器組立体（７）を前記第１の油圧移動ユニット（５）から流体的に切り離しながら、前記油圧蓄圧器組立体（７）を前記第２の油圧移動ユニット（６）と流体的に連通させ、
前記複数の制御弁（ＰＡ、ＰＢ、ＶＨＰ、ＶＬＰ）は選択的に、
前記油圧ポンプ（４）を前記第１の油圧移動ユニット（５）から流体的に切り離しながら、前記油圧ポンプ（４）を前記第２の油圧移動ユニット（６）と流体的に連通させ、かつ、同時に、
前記油圧蓄圧器組立体（７）を前記第２の油圧移動ユニット（６）から流体的に切り離しながら、前記油圧蓄圧器組立体（７）を前記第１の油圧移動ユニット（５）と流体的に連通させる、
デュアルモータ油圧式ハイブリット伝動装置（１、１'）。
【請求項２】
前記複数の制御弁（ＰＡ、ＰＢ、ＶＨＰ、ＶＬＰ）はさらに選択的に、
前記油圧ポンプ（４）を前記第１の油圧移動ユニット（５）と前記第２の油圧移動ユニット（６）とに同時に流体的に連通させる、
請求項１に記載のデュアルモータ油圧式ハイブリット伝動装置（１、１'）。
【請求項３】
前記複数の制御弁（ＰＡ、ＰＢ、ＶＨＰ、ＶＬＰ）は、少なくとも１つのポンプ弁（ＰＡ、ＰＢ）を有し、
前記ポンプ弁（ＰＡ、ＰＢ）は、前記油圧ポンプ（４）と前記第１の油圧移動ユニット（５）及び前記第２の油圧移動ユニット（６）との間の流体連通を提供し、前記ポンプ弁（ＰＡ、ＰＢ）は、３つの制御位置又は制御構成を含み、
前記ポンプ弁（ＰＡ、ＰＢ）が第１の位置又は構成にセットされたとき、前記ポンプ弁（ＰＡ、ＰＢ）は、前記油圧ポンプ（４）を前記第１の油圧移動ユニット（５）と、前記第２の油圧移動ユニット（６）とに流体的に連通させ、
前記ポンプ弁（ＰＡ、ＰＢ）が第２の位置又は構成にセットされたとき、前記ポンプ弁（ＰＡ、ＰＢ）は、前記油圧ポンプ（４）を前記第１の油圧移動ユニット（５）と流体的に連通させ、前記油圧ポンプ（４）を前記第２の油圧移動ユニット（６）から流体的に切り離し、
前記ポンプ弁（ＰＡ、ＰＢ）が第３の位置又は構成にセットされたとき、前記ポンプ弁（ＰＡ、ＰＢ）は、前記油圧ポンプ（４）を前記第２の油圧移動ユニット（６）と流体的に連通させ、前記油圧ポンプ（４）を前記第１の油圧移動ユニット（５）から流体的に切り離す、
請求項１または２に記載のデュアルモータ油圧式ハイブリット伝動装置（１、１'）。
【請求項４】
前記油圧ポンプ（４）、前記第１の油圧移動ユニット（５）、及び前記第２の油圧移動ユニット（６）はそれぞれ、第１の流体ポート及び第２の流体ポートを含み、
前記複数の制御弁（ＰＡ、ＰＢ、ＶＨＰ、ＶＬＰ）は、第１のポンプ弁（ＰＡ）を有し、前記第１のポンプ弁（ＰＡ）は、前記油圧ポンプ（４）の前記第１の流体ポート（４ａ）と、前記第１の油圧移動ユニット（５）の前記第１の流体ポート（５ａ）と、前記第２の油圧移動ユニット（６）の前記第１の流体ポート（６ａ）との間の流体連通を提供し、前記第１のポンプ弁（ＰＡ）は、３つの制御位置を有し、
前記第１のポンプ弁（ＰＡ）が第１の制御位置にセットされたとき、前記第１のポンプ弁（ＰＡ）は、前記油圧ポンプ（４）の前記第１の流体ポート（４ａ）を、前記第１の油圧移動ユニット（５）の前記第１の流体ポート（５ａ）と、前記第２の油圧移動ユニット（６）の前記第１の流体ポート（６ａ）とに流体的に連通させ、
前記第１のポンプ弁（ＰＡ）が第２の制御位置にセットされたとき、前記第１のポンプ弁（ＰＡ）は、前記油圧ポンプ（４）の前記第１の流体ポート（４ａ）を前記第１の油圧移動ユニット（５）の前記第１の流体ポート（５ａ）と流体的に連通させ、前記油圧ポンプ（４）の前記第１の流体ポート（４ａ）を前記第２の油圧移動ユニット（６）の前記第１の流体ポート（６ａ）から流体的に切り離し、
前記第１のポンプ弁（ＰＡ）が第３の制御位置にセットされたとき、前記第１のポンプ弁（ＰＡ）は、前記油圧ポンプ（４）の前記第１の流体ポート（４ａ）を前記第２の油圧移動ユニット（６）の前記第１の流体ポート（６ａ）と流体的に連通させ、前記油圧ポンプ（４）の前記第１の流体ポート（４ａ）を前記第１の油圧移動ユニット（５）の前記第１の流体ポート（５ａ）から流体的に切り離し、
前記複数の制御弁（ＰＡ、ＰＢ、ＶＨＰ、ＶＬＰ）は、第２のポンプ弁（ＰＢ）を有し、前記第２のポンプ弁（ＰＢ）は、前記油圧ポンプ（４）の前記第２の流体ポートと、前記第１の油圧移動ユニット（５）の前記第２の流体ポート（５ｂ）と、前記第２の油圧移動ユニット（６）の前記第２の流体ポート（６ｂ）との間の流体連通を提供し、前記第２のポンプ弁（ＰＢ）は、３つの制御位置を有し、
前記第２のポンプ弁（ＰＢ）が第１の制御位置にセットされたとき、前記第２のポンプ弁（ＰＢ）は、前記油圧ポンプ（４）の前記第２の流体ポートを、前記第１の油圧移動ユニット（５）の前記第２の流体ポート（５ｂ）と、前記第２の油圧移動ユニット（６）の前記第２の流体ポート（６ｂ）とに流体的に連通させ、
前記第２のポンプ弁（ＰＢ）が第２の制御位置にセットされたとき、前記第２のポンプ弁（ＰＢ）は、前記油圧ポンプ（４）の前記第２の流体ポートを前記第１の油圧移動ユニット（５）の前記第２の流体ポート（５ｂ）と流体的に連通させ、前記油圧ポンプ（４）の前記第２の流体ポートを前記第２の油圧移動ユニット（６）の前記第２の流体ポート（６ｂ）から流体的に切り離し、
前記第２のポンプ弁（ＰＢ）が第３の制御位置にセットされたとき、前記第２のポンプ弁（ＰＢ）は、前記油圧ポンプ（４）の前記第２の流体ポートを前記第２の油圧移動ユニット（６）の前記第２の流体ポート（６ｂ）と流体的に連通させ、前記油圧ポンプ（４）の前記第２の流体ポートを前記第１の油圧移動ユニット（５）の前記第２の流体ポート（５ｂ）から流体的に切り離す、
請求項３に記載のデュアルモータ油圧式ハイブリット伝動装置（１、１'）。
【請求項５】
前記複数の制御弁（ＰＡ、ＰＢ、ＶＨＰ、ＶＬＰ）はさらに選択的に、
前記油圧蓄圧器組立体（７）を、前記第１の油圧移動ユニット（５）と前記第２の油圧移動ユニット（６）とに同時に流体的に連通させる、
請求項１から４の何れか一項に記載のデュアルモータ油圧式ハイブリット伝動装置（１、１'）。
【請求項６】
前記第１の油圧移動ユニット（５）及び前記第２の油圧移動ユニット（６）はそれぞれ、第１の流体ポート（５ａ、６ａ）及び第２の流体ポート（５ｂ、６ｂ）を有し、
前記複数の制御弁（ＰＡ、ＰＢ、ＶＨＰ、ＶＬＰ）は、
前記油圧蓄圧器組立体（７）を、前記第１の油圧移動ユニット（５）及び前記第２の油圧移動ユニット（６）のうちの１つと又は両方と流体的に連通させることが、
前記高圧蓄圧器（７ａ）を前記第１の流体ポートと、又は複数の前記第１の流体ポートとに流体的に連通させ、かつ、同時に、前記低圧蓄圧器（７ｂ）を前記第２の流体ポートと、又は複数の前記第２の流体ポートとに流体的に連通させること、及び、
前記高圧蓄圧器（７ａ）を前記第２の流体ポートと、又は複数の前記第２の流体ポートとに流体的に連通させ、かつ、同時に、前記低圧蓄圧器（７ｂ）を前記第１の流体ポートと、又は複数の前記第１の流体ポートとに流体的に連通させること
のうちの１つを選択的に含む
よう構成される、
請求項１から５の何れか一項に記載のデュアルモータ油圧式ハイブリット伝動装置（１、１'）。
【請求項７】
前記複数の制御弁（ＰＡ、ＰＢ、ＶＨＰ、ＶＬＰ）は、少なくとも１つの蓄圧器弁（ＶＨＰ、ＶＬＰ）を有し、
前記蓄圧器弁（ＶＨＰ、ＶＬＰ）は、前記蓄圧器組立体（７）と前記第１の油圧移動ユニット及び前記第２の油圧移動ユニットとの間の流体連通を提供し、前記蓄圧器弁（ＶＨＰ、ＶＬＰ）は、少なくとも３つの制御位置又は制御構成を含み、
前記蓄圧器弁（ＶＨＰ、ＶＬＰ）は、
前記蓄圧器弁（ＶＨＰ、ＶＬＰ）が第１の位置又は構成にセットされたとき、前記油圧蓄圧器組立体（７）は、前記油圧回路（３）から流体的に切り離され、
前記蓄圧器弁（ＶＨＰ、ＶＬＰ）が第２の位置又は構成にセットされたとき、前記高圧蓄圧器（７ａ）は、前記第１の油圧移動ユニット（５）及び前記第２の油圧移動ユニット（６）のうちの少なくとも１つの第１の流体ポートと選択的に流体的に連通され、前記低圧蓄圧器（７ｂ）は、前記高圧蓄圧器（７ａ）が流体的に連通されている前記第１の油圧移動ユニット又は前記第２の油圧移動ユニット、若しくは前記第１の油圧移動ユニット及び前記第２の油圧移動ユニットの対応する第２の流体ポート又は複数の第２の流体ポートと流体的に連通され、
前記蓄圧器弁（ＶＨＰ、ＶＬＰ）が第３の位置又は構成にセットされたとき、前記高圧蓄圧器（７ａ）は、前記第１の油圧移動ユニット（５）及び前記第２の油圧移動ユニット（６）のうちの少なくとも１つの前記第２の流体ポートと選択的に流体的に連通され、前記低圧蓄圧器（７ｂ）は、前記高圧蓄圧器（７ａ）が流体的に連通されている前記第１の油圧移動ユニット又は前記第２の油圧移動ユニット、若しくは前記第１の油圧移動ユニット及び前記第２の油圧移動ユニットの対応する前記第１の流体ポート又は複数の第１の流体ポートと流体的に連通される
よう構成される、
請求項１から６の何れか一項に記載のデュアルモータ油圧式ハイブリット伝動装置（１、１'）。
【請求項８】
少なくとも１つの蓄圧器弁（ＶＨＰ、ＶＬＰ）は、前記少なくとも１つのポンプ弁を通じて、前記第１の油圧移動ユニットと前記第２の油圧移動ユニットとに流体連通される、
請求項３、４、および７の何れか一項に記載のデュアルモータ油圧式ハイブリット伝動装置（１、１'）。
【請求項９】
前記少なくとも１つの蓄圧器弁（ＶＨＰ、ＶＬＰ）は、少なくとも１つの高圧蓄圧器弁（ＶＨＰ）を含み、前記高圧蓄圧器弁（ＶＨＰ）は、前記高圧蓄圧器（７ａ）と前記第１の油圧移動ユニット及び前記第２の油圧移動ユニットとの間の流体連通を提供し、前記高圧蓄圧器弁（ＶＨＰ）は、少なくとも３つの制御位置を含み、
前記高圧蓄圧器弁（ＶＨＰ）が第１の制御位置にセットされたとき、前記高圧蓄圧器弁（ＶＨＰ）は、前記高圧蓄圧器（７ａ）を前記第１の油圧移動ユニットと前記第２の油圧移動ユニット（５、６）とから流体的に切り離し、
前記高圧蓄圧器弁（ＶＨＰ）が第２の制御位置にセットされたとき、前記高圧蓄圧器弁（ＶＨＰ）は、前記高圧蓄圧器（７ａ）を前記第１の油圧移動ユニット（５）及び前記第２の油圧移動ユニット（６）のうちの少なくとも１つの第１の流体ポートと選択的に流体的に連通させ、
前記高圧蓄圧器弁（ＶＨＰ）が第３の制御位置にセットされたとき、前記高圧蓄圧器弁（ＶＨＰ）は、前記高圧蓄圧器（７ａ）を前記第１の油圧移動ユニット（５）及び前記第２の油圧移動ユニット（６）のうちの少なくとも１つの第２の流体ポートと選択的に流体的に連通させ、
前記少なくとも１つの蓄圧器弁（ＶＨＰ、ＶＬＰ）は、低圧蓄圧器弁（ＶＬＰ）を含み、前記低圧蓄圧器弁（ＶＬＰ）は、前記低圧蓄圧器（７ｂ）と前記第１の油圧移動ユニット及び前記第２の油圧移動ユニット（５、６）との間の流体連通を提供し、前記低圧蓄圧器弁（ＶＬＰ）は、少なくとも３つの制御位置を含み、
前記低圧蓄圧器弁（ＶＬＰ）が第１の制御位置にセットされたとき、前記低圧蓄圧器弁（ＶＬＰ）は、前記低圧蓄圧器（７ｂ）を前記第１の油圧移動ユニット及び前記第２の油圧移動ユニットから流体的に切り離し、
前記低圧蓄圧器弁（ＶＬＰ）が第２の制御位置にセットされたとき、前記低圧蓄圧器弁（ＶＬＰ）は、前記低圧蓄圧器（７ｂ）を前記第１の油圧移動ユニット（５）及び前記第２の油圧移動ユニット（６）のうちの少なくとも１つの前記第２の流体ポートと選択的に流体的に連通させ、
前記低圧蓄圧器弁（ＶＬＰ）が第３の制御位置にセットされたとき、前記低圧蓄圧器弁（ＶＬＰ）は、第１のポンプ弁（ＰＡ）を通じて、前記低圧蓄圧器（７ｂ）を前記第１の油圧移動ユニット（５）及び前記第２の油圧移動ユニット（６）のうちの少なくとも１つの前記第１の流体ポートと選択的に流体的に連通させる、
請求項７又は８に記載のデュアルモータ油圧式ハイブリット伝動装置（１、１'）。
【請求項１０】
前記少なくとも１つのポンプ弁及び前記少なくとも１つの蓄圧器弁（ＶＨＰ、ＶＬＰ）は、
前記ポンプ弁（ＰＡ、ＰＢ）が前記第１の位置又は構成にセットされ、前記蓄圧器弁（ＶＨＰ、ＶＬＰ）が前記第２の位置又は構成にセットされたとき、前記高圧蓄圧器（７ａ）は、前記第１の油圧移動ユニット（５）及び前記第２の油圧移動ユニット（６）の複数の第１の流体ポートと流体的に連通され、前記低圧蓄圧器（７ｂ）は、前記第１の油圧移動ユニット（５）及び前記第２の油圧移動ユニット（６）の複数の第２の流体ポートと流体的に連通され、
前記ポンプ弁（ＰＡ、ＰＢ）が前記第１の位置又は構成にセットされ、前記蓄圧器弁（ＶＨＰ、ＶＬＰ）が前記第３の位置又は構成にセットされたとき、前記高圧蓄圧器（７ａ）は、前記第１の油圧移動ユニット（５）及び前記第２の油圧移動ユニット（６）の複数の第２の流体ポートと流体的に連通され、前記低圧蓄圧器（７ｂ）は、前記第１の油圧移動ユニット（５）及び前記第２の油圧移動ユニット（６）の複数の第１の流体ポートと流体的に連通され、
前記ポンプ弁（ＰＡ、ＰＢ）が前記第２の位置又は構成にセットされ、前記蓄圧器弁（ＶＨＰ、ＶＬＰ）が前記第２の位置又は構成にセットされたとき、前記高圧蓄圧器（７ａ）は、前記第２の油圧移動ユニット（６）の第１の流体ポート（６ａ）と流体的に連通され、前記低圧蓄圧器（７ｂ）は、前記第２の油圧移動ユニット（６）の第２の流体ポート（６ｂ）と流体的に連通され、前記蓄圧器組立体（７）は、前記第１の油圧移動ユニット（５）から流体的に切り離され、
前記ポンプ弁（ＰＡ、ＰＢ）が前記第２の位置又は構成にセットされ、前記蓄圧器弁（ＶＨＰ、ＶＬＰ）が前記第３の位置又は構成にセットされたとき、前記高圧蓄圧器（７ａ）は、前記第２の油圧移動ユニット（６）の前記第２の流体ポート（６ｂ）と流体的に連通され、前記低圧蓄圧器（７ｂ）は、前記第２の油圧移動ユニット（６）の前記第１の流体ポート（６ａ）と流体的に連通され、前記蓄圧器組立体（７）は、前記第１の油圧移動ユニット（５）から流体的に切り離され、
前記ポンプ弁（ＰＡ、ＰＢ）が前記第３の位置又は構成にセットされ、前記蓄圧器弁（ＶＨＰ、ＶＬＰ）が前記第２の位置又は構成にセットされたとき、前記高圧蓄圧器（７ａ）は、前記第１の油圧移動ユニット（５）の前記第１の流体ポート（５ａ）と流体的に連通され、前記低圧蓄圧器（７ｂ）は、前記第１の油圧移動ユニット（５）の前記第２の流体ポート（５ｂ）と流体的に連通され、前記蓄圧器組立体（７）は、前記第２の油圧移動ユニット（６）から流体的に切り離され、
前記ポンプ弁（ＰＡ、ＰＢ）が前記第３の位置又は構成にセットされ、前記蓄圧器弁（ＶＨＰ、ＶＬＰ）が前記第３の位置又は構成にセットされたとき、前記高圧蓄圧器（７ａ）は、前記第１の油圧移動ユニット（５）の前記第２の流体ポート（５ｂ）と流体的に連通され、前記低圧蓄圧器（７ｂ）は、前記第１の油圧移動ユニット（５）の前記第１の流体ポート（５ａ）と流体的に連通され、前記蓄圧器組立体（７）は、前記第２の油圧移動ユニット（６）から流体的に切り離される
ようさらに構成される、
請求項３、４、８、および９の何れか一項に記載のデュアルモータ油圧式ハイブリット伝動装置（１、１'）。
【請求項１１】
前記第１の油圧移動ユニット（５）及び前記第２の油圧移動ユニット（６）は、サミングギアボックス（１０）を通じて、前記出力シャフト（１１）と駆動係合され、又は選択的に駆動係合され、前記サミングギアボックス（１０）は、前記第１の油圧移動ユニット（５）により提供される第１のトルク及び前記第２の油圧移動ユニット（６）により提供される第２のトルクを前記出力シャフト（１１）において合計する、
請求項１から１０の何れか一項に記載のデュアルモータ油圧式ハイブリット伝動装置（１、１'）。
【請求項１２】
前記サミングギアボックスはさらに、
前記第１の油圧移動ユニット（５）及び前記第２の油圧移動ユニット（６）のうちの１つのみを前記出力シャフト（１１）と駆動係合させること、及び、
前記第１の油圧移動ユニット（５）及び前記第２の油圧移動ユニット（６）の両方を前記出力シャフト（１１）から離すこと
のうちの１つを選択的に行う、
請求項１１に記載のデュアルモータ油圧式ハイブリット伝動装置（１、１'）。